(57)【要約】【解決手段】光ファイバ１−１が放射する波長の異なる複数の光波から成る球面波を平行波に変換する軸ずれ型コリメータレンズ２−１と、該平行波を分波して得た各光波をそれぞれの光ファイバ１−２〜１−５に集光する複数の軸ずれ型コリメータレンズ２−２〜２−５とを屈折率１．９０以上の素材により構成する。【効果】接着剤で軸ずれ型コリメータレンズ２−１及び軸ずれ型コリメータレンズ２−２〜２−５の全面を覆っても（充填接着層３）レンズ効果を失うことが無く、また接着剤の塗布にスピンコート法を採用することができるため量産性が向上する。【選択図】　　　　図１
2004085861.tif 000002
【特許請求の範囲】
【請求項１】
波長の異なる複数の光波から成る球面波を放射する光放射部と、該球面波を平行波に変換する変換レンズと、該平行波を分波して得た前記各光波をそれぞれの光受光部に集光する複数の案内レンズとを備え、前記変換レンズ及び前記複数の案内レンズが、その一方の面で前記光放射部及び前記各光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置であって、
前記変換レンズ及び前記複数の案内レンズは、屈折率１．９０以上の素材により構成されていることを特徴とする波長分割多重通信用光学装置。
【請求項２】
個々に波長の異なる単一波長の光波から成る球面波を放射する複数の光放射部と、前記球面波を平行波に変換する複数の変換レンズと、前記平行波を複数合波して得た合波光を光受光部に集光する案内レンズとを備え、前記複数の変換レンズ及び前記案内レンズが、その一方の面で前記各光放射部及び前記光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置であって、
前記複数の変換レンズ及び前記案内レンズは、屈折率１．９０以上の素材により構成されていることを特徴とする波長分割多重通信用光学装置。
【請求項３】
請求項１又は請求項２に記載の波長分割多重通信用光学装置において、
前記素材は、
波長透過域１．２１０μｍ〜１０μｍのシリコン（Ｓｉ）であることを特徴とする波長分割多重通信用光学装置。
【請求項４】
請求項１又は請求項２に記載の波長分割多重通信用光学装置において、
前記素材は、
波長透過域０．４μｍ〜５μｍのリチウムナイオベート（ＬｉＮｂＯ３）であることを特徴とする波長分割多重通信用光学装置。
【請求項５】
請求項１又は請求項２に記載の波長分割多重通信用光学装置において、
前記素材は、
波長透過域０．４μｍ〜５μｍのリチウムタンタレート（ＬｉＴａＯ３）であることを特徴とする波長分割多重通信用光学装置。
【請求項６】
請求項１又は請求項２に記載の波長分割多重通信用光学装置において、
前記素材は、
波長透過域０．２μｍ〜５μｍのダイアモンド（Ｃ）であることを特徴とする波長分割多重通信用光学装置。
【請求項７】
請求項１又は請求項２に記載の波長分割多重通信用光学装置において、
前記素材は、
波長透過域０．２５μｍ〜６μｍのルチル（ＴｉＯ２）であることを特徴とする波長分割多重通信用光学装置。
【請求項８】
請求項１又は請求項２に記載の波長分割多重通信用光学装置において、
前記素材は、
波長透過域１μｍ〜１６μｍのガリウム砒素（ＧａＡｓ）であることを特徴とする波長分割多重通信用光学装置。
【請求項９】
請求項１又は請求項２に記載の波長分割多重通信用光学装置において、
前記素材は、
波長透過域１μｍ〜１４μｍのインジウムリン（ＩｎＰ）であることを特徴とする波長分割多重通信用光学装置。
【請求項１０】
請求項１に記載の波長分割多重通信用光学装置において、
前記変換レンズは前記複数の案内レンズよりも大きな焦点距離を有し、
前記変換レンズと対向する前記光放射部と前記一の光伝搬媒体との間に前記変換レンズの焦点距離を調整する焦点距離調整媒体を備えることを特徴とする波長分割多重通信用光学装置。
【請求項１１】
請求項２に記載の波長分割多重通信用光学装置において、
前記案内レンズは前記複数の変換レンズよりも大きな焦点距離を有し、
前記案内レンズと対向する前記光受光部と前記一の光伝搬媒体との間に前記案内レンズの焦点距離を調整する焦点距離調整媒体を備えることを特徴とする波長分割多重通信用光学装置。
【請求項１２】
請求項１０又は請求項１１に記載の波長分割多重通信用光学装置において、
前記光放射部及び前記光受光部は、それぞれ光ファイバからなり、
前記光ファイバの何れかが他の光ファイバとは異なるＮＡ（開口数）を有することを特徴とする波長分割多重通信用光学装置。
【請求項１３】
波長の異なる複数の光波から成る球面波を放射する光放射部と、該球面波を平行波に変換する変換レンズと、該平行波を分波して得た前記各光波をそれぞれの光受光部に集光する複数の案内レンズとを備え、前記変換レンズ及び前記複数の案内レンズが、その一方の面で前記光放射部及び前記各光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置の製造方法であって、
前記一の光伝搬媒体が前記接着剤よりも屈折率の大きな素材からなり、前記一の光伝搬媒体の前記他方の面にフォトリソグラフィーとエッチングプロセスにより前記変換レンズ及び前記複数の案内レンズを形成し、
前記一の光伝搬媒体の前記変換レンズ及び前記複数の案内レンズを含む面に前記接着剤を付着させ、
前記一の光伝搬媒体と前記他の光伝搬媒体とを接着することを特徴とする波長分割多重通信用光学装置の製造方法。
【請求項１４】
個々に波長の異なる単一波長の光波から成る球面波を放射する複数の光放射部と、前記球面波を平行波に変換する複数の変換レンズと、前記平行波を複数合波して得た合波光を光受光部に集光する案内レンズとを備え、前記複数の変換レンズ及び前記案内レンズが、その一方の面で前記各光放射部及び前記光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置の製造方法であって、
前記一の光伝搬媒体が前記接着剤よりも屈折率の大きな素材からなり、前記一の光伝搬媒体の前記他方の面にフォトリソグラフィーとエッチングプロセスにより前記複数の変換レンズ及び前記案内レンズを形成し、
前記一の光伝搬媒体の前記複数の変換レンズ及び前記案内レンズを含む面に前記接着剤を付着させ、
前記一の光伝搬媒体と前記他の光伝搬媒体とを接着することを特徴とする波長分割多重通信用光学装置の製造方法。
【請求項１５】
請求項１３又は請求項１４に記載の波長分割多重通信用光学装置の製造方法において、
スピンコート法によって前記一の光伝搬媒体の前記変換レンズ及び前記案内レンズの形成面の全面に前記接着剤を塗布することを特徴とする波長分割多重通信用光学装置の製造方法。
【発明の詳細な説明】
【０００１】
【発明の属する技術分野】
本発明は、波長分割多重通信に用いられる波長分割多重通信用光学装置及びその製造方法に関する。
【０００２】
【従来の技術】
近年光ファイバ通信の発展はめざましく、その回線数は急激に増大しつつある。この傾向は、公衆回線網はもとより、同じビル内や比較的短距離の間隔に配置されているコンピュータネットワークの分野においても顕著になっている。ＷＤＭ（波長分割多重）が、その有効な解決策として注目を集めている。このＷＤＭでは、送信側からシングルモード（一例）光ファイバ中にＮ個の異なる波長の光波が合波して送られてくる。受信側では、受光した合波光をＮ個の異なる波長の光波に分波する。その結果、単一光波の場合に比較して光ファイバ中に送られてくる情報量は、Ｎ倍に増加する。
【０００３】
このＷＤＭでは、Ｎ個の異なる波長の光波を分波又は合波するための波長分割多重通信用光分波器及び光合波器、即ち波長分割多重通信用光学装置が不可欠になってくる。波長分割多重通信用光分波器及び光合波器には、優れた分波、合波特性が求められるのは当然のこととして安価であることが特に求められている。従来の波長分割多重通信用光分波合波器の一例について図を用いて説明する。
【０００４】
図３は、従来の波長分割多重通信用光分波合波器の構成図である。この分波合波器は、分波器あるいは合波器として利用可能であるが、ここでは、分波器として用いた場合について説明する。
光ファイバ３１−１の先端のコア部から波長λ１、λ２、λ３、λ４の４波からなる合波光が、球面波３２となって放射される。この球面波３２は、軸ずれ型コリメータレンズ３３−１でコリメートされ平行波３７になる。この平行波３７中の波長λ１の光波は、ＷＤＭフィルタ（λ１）３５−１によって反射され軸ずれ型コリメータレンズ３３−２によって集光される。更に、光ファイバ３１−２の先端のコア部に入射され分岐される。
【０００５】
波長λ２、λ３、λ４の３波からなる合波光はＷＤＭフィルタ（λ１）３５−１を透過する。この合波光中の波長λ２の光波は、ＷＤＭフィルタ（λ２）３５−２によって反射され軸ずれ型コリメータレンズ３３−３によって集光される。更に、光ファイバ３１−３の先端のコア部に入射され分岐される。以下同様にしてＷＤＭフィルタ（λ３）３５−３、ＷＤＭフィルタ（λ４）３５−４によりそれぞれ反射されたλ３、λ４の光波が光ファイバ３１−４、３１−５の先端のコア部に各々入射され分岐される。
【０００６】
このような波長分割多重通信用光分波合波器は、ＭＴコネクタと整合可能な２５０ミクロンピッチのレンズアレーを用いることで、光学系全体をコンパクトに構成できる。又作製にあたっては、上記軸ずれ型コリメータレンズ３３−１〜３３−５は、一層目の光路を形成する光伝搬媒体３６−１の下側の面にフォトリソグラフィーとエッチングプロセスを用いて形成され、その下に二層目の光路を形成する光伝搬媒体３６−２が接着剤３８を用いて接着されていた。この接着剤３８としては、例えばＵＶ効果型接着剤、熱硬化型接着剤などが用いられており、その屈折率は、約１．４５であった。
【０００７】
【発明が解決しようとする課題】
ところで、上記のような従来の技術には次のような解決すべき課題があった。
上記軸ずれ型コリメータレンズは、結合損失を低減する等の理由から、通常石英（屈折率１．４５）によって構成されている。ところが上記接着剤も屈折率が１．４５前後であるため、上記軸ずれ型コリメータレンズの一方の光路を形成する光伝搬媒体３６−１と、他方の光路を形成する光伝搬媒体３６−２とを単に重ね合わせて接着しても所望の特性が得られなかった。
【０００８】
即ち、上記軸ずれ型コリメータレンズの全面に接着剤が塗布されると、上記軸ずれ型コリメータレンズと接着剤の屈折率が近似しているためレンズ効果が無くなってしまう。そのためレンズ部分に接着剤が回り込まないように周辺部のみに接着剤を塗布する方法が採用されている。しかし、この場合には、接着強度に問題があるだけでなく、接着剤の塗布にスピンコート法を採用することができなくなるので大量生産しにくくなり、コスト高になってしまうという解決すべき課題が残されていた。
【０００９】
【課題を解決するための手段】
本発明は以上の点を解決するため次の構成を採用する。
〈構成１〉
波長の異なる複数の光波から成る球面波を放射する光放射部と、該球面波を平行波に変換する変換レンズと、該平行波を分波して得た上記各光波をそれぞれの光受光部に集光する複数の案内レンズとを備え、上記変換レンズ及び上記複数の案内レンズが、その一方の面で上記光放射部及び上記各光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置であって、上記変換レンズ及び上記複数の案内レンズは、屈折率１．９０以上の素材により構成されていることを特徴とする。
【００１０】
〈構成２〉
個々に波長の異なる単一波長の光波から成る球面波を放射する複数の光放射部と、上記球面波を平行波に変換する複数の変換レンズと、上記平行波を複数合波して得た合波光を光受光部に集光する案内レンズとを備え、上記複数の変換レンズ及び上記案内レンズが、その一方の面で上記各光放射部及び上記光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置であって、上記複数の変換レンズ及び上記案内レンズは、屈折率１．９０以上の素材により構成されていることを特徴とする。
【００１１】
〈構成３〉
構成１又は構成２に記載の波長分割多重通信用光学装置において、上記素材は、波長透過域１．２１０μｍ〜１０μｍのシリコン（Ｓｉ）であることを特徴とする。
【００１２】
〈構成４〉
構成１又は構成２に記載の波長分割多重通信用光学装置において、上記素材は、波長透過域０．４μｍ〜５μｍのリチウムナイオベート（ＬｉＮｂＯ３）であることを特徴とする。
【００１３】
〈構成５〉
構成１又は構成２に記載の波長分割多重通信用光学装置において、上記素材は、波長透過域０．４μｍ〜５μｍのリチウムタンタレート（ＬｉＴａＯ３）であることを特徴とする。
【００１４】
〈構成６〉
構成１又は構成２に記載の波長分割多重通信用光学装置において、上記素材は、波長透過域０．２μｍ〜５μｍのダイアモンド（Ｃ）であることを特徴とする。
【００１５】
〈構成７〉
構成１又は構成２に記載の波長分割多重通信用光学装置において、上記素材は、波長透過域０．２５μｍ〜６μｍのルチル（ＴｉＯ２）であることを特徴とする。
【００１６】
〈構成８〉
構成１又は構成２に記載の波長分割多重通信用光学装置において、上記素材は、波長透過域１μｍ〜１６μｍのガリウム砒素（ＧａＡｓ）であることを特徴とする。
【００１７】
〈構成９〉
構成１又は構成２に記載の波長分割多重通信用光学装置において、上記素材は、波長透過域１μｍ〜１４μｍのインジウムリン（ＩｎＰ）であることを特徴とする。
【００１８】
〈構成１０〉
構成１に記載の波長分割多重通信用光学装置において、上記変換レンズは上記複数の案内レンズよりも大きな焦点距離を有し、上記変換レンズと対向する上記光放射部と上記一の光伝搬媒体との間に上記変換レンズの焦点距離を調整する焦点距離調整媒体を備えることを特徴とする。
【００１９】
〈構成１１〉
構成２に記載の波長分割多重通信用光学装置において、上記案内レンズは上記複数の変換レンズよりも大きな焦点距離を有し、上記案内レンズと対向する上記光受光部と上記一の光伝搬媒体との間に上記案内レンズの焦点距離を調整する焦点距離調整媒体を備えることを特徴とする。
【００２０】
〈構成１２〉
構成１０又は構成１１に記載の波長分割多重通信用光学装置において、上記光放射部及び上記光受光部は、それぞれ光ファイバからなり、上記光ファイバの何れかが他の光ファイバとは異なるＮＡ（開口数）を有することを特徴とする。
【００２１】
〈構成１３〉
波長の異なる複数の光波から成る球面波を放射する光放射部と、該球面波を平行波に変換する変換レンズと、該平行波を分波して得た上記各光波をそれぞれの光受光部に集光する複数の案内レンズとを備え、上記変換レンズ及び上記複数の案内レンズが、その一方の面で上記光放射部及び上記各光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置の製造方法であって、上記一の光伝搬媒体が上記接着剤よりも屈折率の大きな素材からなり、上記一の光伝搬媒体の上記他方の面にフォトリソグラフィーとエッチングプロセスにより上記変換レンズ及び上記複数の案内レンズを形成し、上記一の光伝搬媒体の上記変換レンズ及び上記複数の案内レンズを含む面に上記接着剤を付着させ、上記一の光伝搬媒体と上記他の光伝搬媒体とを接着することを特徴とする。
【００２２】
〈構成１４〉
個々に波長の異なる単一波長の光波から成る球面波を放射する複数の光放射部と、上記球面波を平行波に変換する複数の変換レンズと、上記平行波を複数合波して得た合波光を光受光部に集光する案内レンズとを備え、上記複数の変換レンズ及び上記案内レンズが、その一方の面で上記各光放射部及び上記光受光部と対向し且つ光伝送路となる一の光伝搬媒体の他方の面に形成され、該一の光伝搬媒体が光伝送路となる他の光伝搬媒体に接着剤を介して接着される波長分割多重通信用光学装置の製造方法であって、上記一の光伝搬媒体が上記接着剤よりも屈折率の大きな素材からなり、上記一の光伝搬媒体の上記他方の面にフォトリソグラフィーとエッチングプロセスにより上記複数の変換レンズ及び上記案内レンズを形成し、上記一の光伝搬媒体の上記複数の変換レンズ及び上記案内レンズを含む面に上記接着剤を付着させ、上記一の光伝搬媒体と上記他の光伝搬媒体とを接着することを特徴とする。
【００２３】
〈構成１５〉
構成１３又は構成１４に記載の波長分割多重通信用光学装置の製造方法において、スピンコート法によって上記一の光伝搬媒体の上記変換レンズ及び上記案内レンズの形成面の全面に上記接着剤を塗布することを特徴とする。
【００２４】
【発明の実施の形態】
以下、本発明の実施の形態を具体例を用いて説明する。一例として波長λ１、λ２、λ３、λ４の４波からなる合波光を受け入れて、波長λ１、λ２、λ３、λ４の光波にそれぞれ分波する場合について説明する。
【００２５】
〈具体例１の構成〉
本具体例では、接着剤の屈折率（約１．４５）と軸ずれ型コリメータレンズの屈折率との間に大きな屈折率差を設けるために、軸ずれ型コリメータレンズを屈折率１．９０以上の素材を用いて作製する。更に量産性を向上させるために、軸ずれ型コリメータレンズの全面を接着剤で覆うようにして光伝搬媒体を接着する。
【００２６】
一般に、本具体例で説明する接着剤の屈折率（約１．４５）は、従来の波長分割多重通信用光学装置を構成する上で使用される石英、あるいはガラスの屈折率と同等である。そのため、前述のように石英からなる軸ずれ型コリメータレンズの表面に接着剤が塗布されると、レンズとしての機能が失われてしまう。本来、軸ずれ型コリメータレンズにおけるレンズ効果は、レンズ基板の屈折率と、それを取り囲む空気の屈折率（１．０）との屈折率差によってもたらされるもので、たとえレンズ全面に接着剤が塗布されても、該レンズ基板の屈折率と、該接着剤との屈折率差が０．４５以上あれば、即ち、該レンズ基板の屈折率が１．９０以上ならば、接着剤を塗布する以前と同等のレンズ機能を実現できることになる。
【００２７】
図１は、具体例１の構成図である。
図１より、本発明による波長分割多重通信用光分波器は、光ファイバ１−１〜１−５、軸ずれ型コリメータレンズ２−１〜２−５、充填接着層３、ＷＤＭフィルタ（λ１）４−１、ＷＤＭフィルタ（λ２）４−２、ＷＤＭフィルタ（λ３）４−３、ＷＤＭフィルタ（λ４）４−４、光伝搬媒体６−１〜６−５とを備える。
【００２８】
光伝搬媒体６−１は、屈折率１．９０以上の素材（具体的には後述する）で形成され、その下側の面（光伝搬媒体６−２と対向する面）には、フォトリソグラフィーとエッチングプロセスを用いて、軸ずれ型コリメータレンズ２−１〜２−５が形成されている。又光伝搬媒体６−１の上方には、光ファイバ１−１〜１−５が、相互に所定の間隔を置いて各々平行に配置され、且つ、各光ファイバの先端が光伝搬媒体６−１の上表面に当接若しくは近接して配置される。
【００２９】
光伝搬媒体６−２〜６−５は、光波を伝搬させる部分であり石英ガラス等の光学基板（一例として厚さ１．５ｍｍ程度）が用いられる。
光伝搬媒体６−１と光伝搬媒体６−２とは充填接着層３を介して相互に接着されており、この接着位置には軸ずれ型コリメータレンズ２−１〜２−５が配置されている。この充填接着層３に用いられる接着剤としては、例えば屈折率が約１．４５であるＵＶ硬化型接着剤、熱硬化型接着剤等が用いられる。軸ずれ型コリメータレンズ２−１〜２−５は、それぞれの焦点が対応する各光ファイバ１−１〜１−５の先端のコア部分に一致するようにして、それぞれ対応する各光ファイバ１−１〜１−５の先端と対向して配置される。
【００３０】
光伝搬媒体６−２と光伝搬媒体６−３の間にはＷＤＭフィルタ（λ１）４−１が配置されている。光伝搬媒体６−３と光伝搬媒体６−４の間にはＷＤＭフィルタ（λ２）４−２が配置されている。光伝搬媒体６−４と光伝搬媒体６−５の間にはＷＤＭフィルタ（λ３）４−３が配置されている。図上、光伝搬媒体６−５の下方にはＷＤＭフィルタ（λ４）４−４が配置されている。
【００３１】
光ファイバ１−１は、波長λ１、λ２、λ３、λ４の４波からなる合波光を受け入れて、その先端のコア部から球面波７−１を放射する光放射部である。一例としてシングルモード光ファイバが用いられる。
【００３２】
即ち、光ファイバ１は、光ネットワークから、波長λ１、λ２、λ３、λ４の４波からなる光多重信号（合波光）を受け入れる。従って、凸レンズの焦点から光が放射されるように、この光ファイバ１−１の先端のコア部からはそのＮＡ（開口数）に応じた球面波７−１が放射され、この球面波７−１が軸ずれ型コリメータレンズ２−１に向かって光伝搬媒体６−１中を進行する。
【００３３】
光ファイバ１−２〜１−５は、複数の光波（ここではλ１、λ２、λ３、λ４の４波）が各波長毎に分波された後の光波を別々に受け入れる光受光部である。即ち、光ファイバ１−２はＷＤＭフィルタ（λ１）４−１で反射される波長λ１の光波を軸ずれ型コリメータレンズ２−２を介して受け入れる。光ファイバ１−３はＷＤＭフィルタ（λ２）４−２で反射される波長λ２の光波を軸ずれ型コリメータレンズ２−３を介して受け入れる。光ファイバ１−４はＷＤＭフィルタ（λ３）４−３で反射される波長λ３の光波を軸ずれ型コリメータレンズ２−４を介して受け入れる。光ファイバ１−５は、ＷＤＭフィルタ（λ４）４−４で反射される波長λ４の光波を軸ずれ型コリメータレンズ２−５を介して受け入れる。
【００３４】
このように分波された光波は、それぞれ単一の光波が伝搬されている光ネットワークに送られる。これらの光ファイバも一例としてシングルモード光ファイバが用いられる。
上記各軸ずれ型コリメータレンズ２−２〜２−５は、各々の焦点がそれぞれ光ファイバ１−２〜１−５の先端のコア部分と一致するように配置される。
【００３５】
軸ずれ型コリメータレンズ２−１は、光ファイバ１−１から放射される球面波７−１を受け入れると、この球面波７−１を所定の角度を有する平行波８に変換し、出射する。この平行波８は、ＷＤＭフィルタ（λ１）４−１に向かって光伝搬媒体６−２中を斜めに進行する。
【００３６】
軸ずれ型コリメータレンズ２−２は、ＷＤＭフィルタ（λ１）４−１により反射される波長λ１の光波を斜め方向から受け入れて集光し、上記光ファイバ１−２の先端のコア部へ入射させるレンズである。
【００３７】
軸ずれ型コリメータレンズ２−３は、ＷＤＭフィルタ（λ２）４−２により反射される波長λ２の光波を斜め方向から受け入れて集光し、上記光ファイバ１−３の先端のコア部へ入射させるレンズである。
【００３８】
軸ずれ型コリメータレンズ２−４は、ＷＤＭフィルタ（λ３）４−３により反射される波長λ３の光波を斜め方向から受け入れて集光し、上記光ファイバ１−４の先端のコア部へ入射させるレンズである。
【００３９】
軸ずれ型コリメータレンズ２−５は、ＷＤＭフィルタ（λ４）４−４により反射される波長λ４の光波を斜め方向から受け入れて集光し、上記光ファイバ１−５の先端のコア部へ入射させるレンズである。
【００４０】
以上説明したように、各軸ずれ型コリメータレンズ２−２〜２−５は、ＷＤＭフィルタ（λ１）４−１〜（λ４）４−４により反射された光波を斜め方向から受け入れて球面波７−２〜７−５にして集光し、上記各光ファイバ１−２〜１−５（光受光部）の先端のコア部分へそれぞれ案内する案内レンズである。
【００４１】
上記ＷＤＭフィルタ（λ１）４−１は、上記軸ずれ型コリメータレンズ２−１から、平行波に変換された光多重信号を所定の入射角で受け入れて、波長λ１の光波を選択して反射させ、残りの平行波（λ２、λ３、λ４）を透過させる光フィルタである。このフィルタによって反射された光は、軸ずれ型コリメータレンズ２−２へ向かう。一方、透過した平行波（λ２、λ３、λ４）はＷＤＭフィルタ（λ２）４−２へ向かって光伝搬媒体６−３中を進行する。
【００４２】
ＷＤＭフィルタ（λ２）４−２は、上記ＷＤＭフィルタ（λ１）を透過してきた平行波（λ２、λ３、λ４）を所定の入射角で受け入れて波長λ２の光波を選択して反射させ、残りの波長λ３、λ４の平行波を透過させる光フィルタである。このフィルタによって反射された光は、軸ずれ型コリメータレンズ２−３へ向かう。一方、透過した波長λ３、λ４の平行波はＷＤＭフィルタ（λ３）４−３へ向かって光伝搬媒体６−４中を進行する。
【００４３】
ＷＤＭフィルタ（λ３）４−３は、上記ＷＤＭフィルタ（λ２）を透過してきた平行波（λ３、λ４）を所定の入射角で受け入れて波長λ３の光波を選択して反射させ、残りの波長λ４の光波を透過させる光フィルタである。反射された光は、軸ずれ型コリメータレンズ２−４へ向かう。一方、波長λ４の光波は透過してＷＤＭフィルタ（λ４）４−４へ向かって光伝搬媒体６−５中を進行する。
【００４４】
ＷＤＭフィルタ（λ４）４−４は、上記ＷＤＭフィルタ（λ３）４−３を透過してきた波長λ４の単波光を所定の入射角で受け入れて軸ずれ型コリメータレンズ２−５に向けて反射させる。
上記、各ＷＤＭフィルタ（λ１）４−１〜（λ４）４−４は、通常誘電体薄膜を積層した誘電体多層膜などによって形成される。この誘電体多層膜は、多層膜蒸着装置等を用いて光伝搬媒体６−２〜６−５の一方の表面に積層される。更に、この一方の表面と接する光伝搬媒体６−３〜６−５の他の表面とは、例えば、前述した接着剤等を用いるか、他の適切な接合方法を用いて接合される。
【００４５】
尚、ＷＤＭフィルタ（λ４）４−４に代えて、金属膜を蒸着させることにより形成したミラー（反射鏡）を用いることもできる。この金属膜としては、例えば、アルミ膜単独、クロム膜単独、あるいは下地としてのクロム膜上に金の膜を設けた積層膜等とすることができる。
【００４６】
さて、これらの軸ずれ型コリメータレンズ２−１〜２−５は、一例として特願平０９−１１５２７２号（出願人同一）に示すように計算機ホログラム（ＣＧＨ）の手法を用いれば、容易にフォトリソグラフィー精度で相対的な位置を保証したＣＧＨ素子として光伝搬媒体６−１の下側の面（即ち、光伝搬媒体６−２と対向する面）上に作製することができる。
【００４７】
この場合、このＣＧＨ素子を形成する光伝搬媒体６−１自体が、後述するレンズ形成に適した素材からなっている。このＣＧＨ素子は、その断面形状と、該光伝搬媒体６−１と充填接着層３との屈折率差によって、入射光の位相を変化させ、レンズとして働くものである。
【００４８】
そして、これらの軸ずれ型コリメータレンズ２−１〜２−５は、屈折率１．９０以上の素材から作製される。この理由は、充填接着層３の屈折率（約１．４５）と軸ずれ型コリメータレンズの屈折率との間に大きな屈折率差を設けてレンズ効果が無くなるのを防止するためである。好ましい素材としては、例えば、屈折率３．４４８で波長透過域１．２μｍ〜１０μｍのシリコン（Ｓｉ）、屈折率２．２８６で波長透過域０．４μｍ〜５μｍのリチウムナイオベート（ＬｉＮｂＯ３）、屈折率２．１７６で波長透過域０．４μｍ〜５μｍのリチウムタンタレート（ＬｉＴａＯ３）、屈折率２．４１７で波長透過域０．２μｍ〜５μｍのダイアモンド（Ｃ）、屈折率２．５８４で波長透過域０．２５μｍ〜６μｍのルチル（ＴｉＯ２）、屈折率３．５１で波長透過域１μｍ〜１６μｍのガリウム砒素（ＧａＡｓ）、屈折率３．２１で波長透過域１μｍ〜１４μｍのインジウムリン（ＩｎＰ）等がある。
【００４９】
これに対し、充填接着層３は、上記軸ずれ型コリメータレンズ２−１〜２−５の全面を覆う所定の接着剤を用いて光伝搬媒体６−１と光伝搬媒体６−２とを接着している。この接着剤としては屈折率１．４５前後のものが用いられている。
【００５０】
さて、軸ずれ型コリメータレンズ２−１〜２−５が、屈折率１．９０以上の素材、一例として屈折率３．４４８のシリコン（Ｓｉ）を素材として作製されているものとする。この場合には、シリコンの屈折率３．４４８と接着剤の屈折率約１．４５との屈折率差は、１．９９８となる。この値は、石英の屈折率１．４５と、空気の屈折率１との屈折率差０．４５よりも大きくなる。従って、充填接着層３が上記軸ずれ型コリメータレンズ２−１〜２−５の全面を覆ってもこれらレンズがレンズ効果を失うことはない。
【００５１】
又、上記の通り上記軸ずれ型コリメータレンズ２−１〜２−５は光伝搬媒体６−１の下側の面（即ち、光伝搬媒体６−２と対向する面）にフォトリソグラフィー精度で相対的な位置を保証して作製され、充填接着層３が上記軸ずれ型コリメータレンズ２−１〜２−５の全面を覆っている。従って、光伝搬媒体６−１、６−２間の接着強度も大きくなる。そして、上記軸ずれ型コリメータレンズ２−１〜２−５の全面を覆うことが許されていることから、接着剤の塗布にはスピンコート法を採用することができる。ここでスピンコート法とは、上記軸ずれ型コリメータレンズ２−１〜２−５が形成されている光伝搬媒体６−１の基板を上記軸ずれ型コリメータレンズ２−１〜２−５を上に向けて接着剤を所定量点滴し、基板の平面を維持した状態で高速スピン回転させる塗布方法である。そのため、接着層の平行度や層厚制御が容易になり量産性に富むことになる。
【００５２】
〈具体例１の動作〉
最初に本発明の基本動作について説明する。
以上説明した構成を有する波長分割多重通信用光分波器に波長λ１＝１．３４μｍ、λ２＝１．３２μｍ、λ３＝１．３０μｍ、λ４＝１．２８μｍの４波が合波された光多重信号（合波光）が光ネットワークから光ファイバ１−１に送られてきたと仮定する。
【００５３】
この合波光（λ１、λ２、λ３、λ４）は、光ファイバ１−１の先端のコア部を焦点にした球面波７−１となって光伝搬媒体６−１を通って軸ずれ型コリメータレンズ２−１に向けて放射される。ここで斜め方向への平行波８に変換される。この平行波８は、途中ＷＤＭフィルタ（λ１）４−１、ＷＤＭフィルタ（λ２）４−２、ＷＤＭフィルタ（λ３）４−３で所定の波長の光波を反射させながら光伝搬媒体（６−２、６−３、６−４、６−５）を通ってＷＤＭフィルタ（λ４）４−４へ向かって直進する。
【００５４】
ＷＤＭフィルタ（λ１）４−１、では、波長λ１の光波が、入射角＝反射角の関係を維持しつつ光伝搬媒体６−２を通って軸ずれ型コリメータレンズ２−２に向けて反射される。一方λ２、λ３、λ４の合波光は、ＷＤＭフィルタ（λ１）４−１を透過してＷＤＭフィルタ（λ２）４−２へ向かって光伝搬媒体６−３を直進する。
【００５５】
その後、波長λ１の光波は、軸ずれ型コリメータレンズ２−２によって光伝搬媒体６−１中で光ファイバ１−２の先端のコア部に集光される。この光波は、波長λ１の単一の光波が伝搬されている光ネットワークに送られる。
【００５６】
一方、ＷＤＭフィルタ（λ１）４−１を透過した合波光（λ２、λ３、λ４）は、光伝搬媒体６−３を通ってＷＤＭフィルタ（λ２）４−２に到達する。ここで波長λ２の光波は、反射されて軸ずれ型コリメータレンズ２−３へ向かう。一方、ＷＤＭフィルタ（λ２）４−２を透過した合波光（λ３、λ４）は、光伝搬媒体６−４中をＷＤＭフィルタ（λ３）４−３へ向かって直進する。
【００５７】
軸ずれ型コリメータレンズ２−３へ向かった波長λ２の光波は、上記波長λ１の光波と同様に、軸ずれ型コリメータレンズ２−３で光ファイバ１−３先端のコア部に集光され、波長λ２の単一の光波が伝搬されている光ネットワークに送られる。
【００５８】
ＷＤＭフィルタ（λ３）４−３で波長λ３の光波は反射し、波長λ４の光波は透過する。上記λ１、λ２と同様にして波長λ３の光波は、軸ずれ型コリメータレンズ２−４で光ファイバ１−４先端のコア部に集光され、波長λ３の単一の光波が伝搬されている光ネットワークに送られる。一方、波長λ４の光波は光伝搬媒体６−５中をＷＤＭフィルタ（λ４）４−４へ向かって直進する。
【００５９】
波長λ４の光波は、ＷＤＭフィルタ（λ４）４−４で反射され光伝搬媒体（６−５、６−４、６−３、６−２）を通って軸ずれ型コリメータレンズ２−５へ向かう。ここで軸ずれ型コリメータレンズ２−５によって光ファイバ１−５の先端のコア部に集光され、波長λ４の単一の光波が伝搬されている光ネットワークに送られる。
【００６０】
上記説明では、光ファイバ１−１に合波光（λ１、λ２、λ３、λ４）を入力して、光ファイバ１−２から波長λ１の光波を、光ファイバ１−３から波長λ２の光波を、光ファイバ１−４から波長λ３の光波を、光ファイバ１−５から波長λ４の光波を、それぞれ分波して出力する分波器の機能のみについて説明した。
【００６１】
しかし、本発明は、この場合のみに限定されるものではない。光ファイバ１−２の先端のコア部から波長λ１の光波を、光ファイバ１−３の先端のコア部から波長λ２の光波を、光ファイバ１−４の先端のコア部から波長λ３の光波を、光ファイバ１−５の先端のコア部から波長λ４の光波を、それぞれ放射することによって、光ファイバ１−１から前述の４波が合波された合波光（λ１、λ２、λ３、λ４）を得るための合波器として動作させることもできる。
【００６２】
即ち、波長λ１、λ２、λ３、λ４の各々の単一波長の光波は、それぞれ軸ずれ型コリメータレンズ２−２〜２−５によって平行波に変換される。波長λ１の光波はＷＤＭフィルタ（λ１）４−１で、波長λ２の光波はＷＤＭフィルタ（λ２）４−２で、波長λ３の光波はＷＤＭフィルタ（λ３）４−３で、波長λ４の光波はＷＤＭフィルタ（λ４）４−４で、それぞれ反射されて波長λ１、λ２、λ３、λ４の４波が合波された平行波となる。
【００６３】
この平行波は、軸ずれ型コリメータレンズ２−１へ向かう。軸ずれ型コリメータレンズ２−１で集光されて波長λ１、λ２、λ３、λ４の合波光となって光ファイバ１−１の先端のコア部に入射される。かかる動作は、光波の進行方向が逆転しているのみで上記分波器の場合と全く同様である。
【００６４】
更に、上記説明では、図１の図上最下段の部分にＷＤＭフィルタ（λ４）４−４を配置してあるが、本発明は、この例に限定されるものではない。即ち、ＷＤＭフィルタ（λ４）４−４に代えて、上記金属膜を蒸着させることにより形成したミラー（反射鏡）を用いることもできる。
【００６５】
〈具体例２〉
上記具体例１は、光ファイバの全てについて一例としてシングルモード光ファイバを用いた場合について説明した。具体例２ではＮＡ（開口数）の大きく異なる複数種類の光ファイバ（例えばシングルモード光ファイバとマルチモード光ファイバ）を用いる場合、あるいは又、光ファイバとレーザダイオード等のようにスポット径の異なるものを用いる場合について説明する。
【００６６】
図２は、具体例２の構成図である。
図２より、本発明による波長分割多重通信用光分波器は、シングルモード光ファイバ２１、マルチモード光ファイバ２２−１〜２２−４、軸ずれ型コリメータレンズ２３、軸ずれ型コリメータレンズ２４−１〜２４−４、充填接着層３、ＷＤＭフィルタ（λ１）４−１、ＷＤＭフィルタ（λ２）４−２、ＷＤＭフィルタ（λ３）４−３、ＷＤＭフィルタ（λ４）４−４、光伝搬媒体６−１〜６−５、焦点距離調整媒体２５とを備える。具体例１と相違する部分のみについて説明する。
【００６７】
シングルモード光ファイバ２１は、波長λ１、λ２、λ３、λ４の４波からなる合波光を受け入れて、その先端のコア部から球面波２７−１を放射する光放射部である。
【００６８】
光ネットワークから、波長λ１、λ２、λ３、λ４の４波からなる光多重信号（合波光）を受け入れると、凸レンズの焦点から光が放射されるようにシングルモード光ファイバ２１の先端のコア部からＮＡ（開口数）に応じた放射角の球面波２７−１が後記軸ずれ型コリメータレンズ２３に向かって光伝搬媒体６−１中を進行する。
【００６９】
マルチモード光ファイバ２２−１〜２２−４は、複数の光波（ここではλ１、λ２、λ３、λ４の４波）が各波長毎に分波された後の光波を別々に受け入れる部分である。即ち、マルチモード光ファイバ２２−１はＷＤＭフィルタ（λ１）４−１から波長λ１の光波を軸ずれ型コリメータレンズ２４−１を介して自己のＮＡ（開口数）に応じた受光角で球面波２７−２を受け入れる。マルチモード光ファイバ２２−２はＷＤＭフィルタ（λ２）４−２から波長λ２の光波を軸ずれ型コリメータレンズ２４−２を介して自己のＮＡ（開口数）に応じた受光角で球面波２７−３を受け入れる。マルチモード光ファイバ２２−３はＷＤＭフィルタ（λ３）４−３から波長λ３の光波を軸ずれ型コリメータレンズ２４−３を介して自己のＮＡ（開口数）に応じた受光角で球面波２７−４を受け入れる。マルチモード光ファイバ２２−４は、ＷＤＭフィルタ（λ４）４−４から波長λ４の光波を軸ずれ型コリメータレンズ２４−４を介して自己のＮＡ（開口数）に応じた受光角で球面波２７−５を受け入れる。
【００７０】
このように分波された光波は、それぞれ単一の光波が伝搬されている光ネットワークに送られる。即ち、マルチモード光ファイバ２２−１〜２２−４は光受光部の役目を果たす。この役目を果たすためにマルチモード光ファイバ２２−１〜２２−４の先端の各コア部は、軸ずれ型コリメータレンズ２４−１〜２４−４の各焦点と一致するように配置される。
【００７１】
軸ずれ型コリメータレンズ２３は、シングルモード光ファイバ２１から放射される球面波２７−１を受け入れて、この球面波２７−１の光軸と所定の角度を有し、ＷＤＭフィルタ（λ１）４−１、ＷＤＭフィルタ（λ２）４−２、ＷＤＭフィルタ（λ３）４−３、ＷＤＭフィルタ（λ４）４−４に向けて斜めに進行する平行波に変換する変換レンズである。
【００７２】
この軸ずれ型コリメータレンズ２３の焦点距離ｆ１はシングルモード光ファイバ２１のＮＡ（開口数）に応じた放射角に基づいて設定される。
ここで平行波に変換された波長λ１、λ２、λ３、λ４からなる合波光はＷＤＭフィルタ（λ１）４−１に向かって光伝搬媒体６−２中を進行する。
【００７３】
軸ずれ型コリメータレンズ２４−１は、ＷＤＭフィルタ（λ１）４−１が反射させる波長λ１の光波を斜め方向から受け入れて集光し、上記マルチモード光ファイバ２２−１へ送る部分である。この軸ずれ型コリメータレンズ２４−１の焦点距離ｆ２はマルチモード光ファイバ２２−１のＮＡ（開口数）に応じた受光角に基づいて設定される。
【００７４】
軸ずれ型コリメータレンズ２４−２は、ＷＤＭフィルタ（λ２）４−２が反射させる波長λ２の光波を斜め方向から受け入れて集光し、上記マルチモード光ファイバ２２−２へ送る部分である。この軸ずれ型コリメータレンズ２４−２の焦点距離ｆ２はマルチモード光ファイバ２２−２のＮＡ（開口数）に応じた受光角に基づいて設定される。
【００７５】
軸ずれ型コリメータレンズ２４−３は、ＷＤＭフィルタ（λ３）４−３が反射させる波長λ３の光波を斜め方向から受け入れて集光し、上記マルチモード光ファイバ２２−３へ送る部分である。この軸ずれ型コリメータレンズ２４−３の焦点距離ｆ２はマルチモード光ファイバ２２−３のＮＡ（開口数）に応じた受光角に基づいて設定される。
【００７６】
軸ずれ型コリメータレンズ２４−４は、ＷＤＭフィルタ（λ４）４−４が反射させる波長λ４の光波を斜め方向から受け入れて集光し、上記マルチモード光ファイバ２２−４へ送る部分である。この軸ずれ型コリメータレンズ２４−４の焦点距離ｆ２はマルチモード光ファイバ２２−４のＮＡ（開口数）に応じた受光角に基づいて設定される。
【００７７】
以上説明したように軸ずれ型コリメータレンズ２４−１〜２４−４は、ＷＤＭフィルタ（λ１）４−１〜（λ４）４−４より反射された光波を斜め方向から受け入れて球面波２７−２〜２７−５にして集光し上記マルチモード光ファイバ２２−１〜２２−４（光受光部）へ送る案内レンズである。上記軸ずれ型コリメータレンズ２３及び２４−１〜２４−４は、一例として特願平０９−１１５２７２号に示すように計算機ホログラム（ＣＧＨ）の手法を用いれば、容易にフォトリソグラフィー精度で相対的な位置を保証したＣＧＨ素子として光伝搬媒体６−１の下面（光伝搬媒体６−２と対向する面）に作製することができる。
【００７８】
焦点距離調整媒体２５は、変換用軸ずれ型コリメータレンズ２３の焦点距離ｆ１と、案内用軸ずれ型コリメータレンズ２４−１〜２４−４の焦点距離ｆ２との差ｆ１−ｆ２を調整する部分である。本具体例では軸ずれ型コリメータレンズ２３に対向する部分はシングルモード光ファイバ２１であり、軸ずれ型コリメータレンズ２４−１〜２４−４に対向する部分はマルチモード光ファイバ２２−１〜２２−４である。
【００７９】
本具体例では上記のように、軸ずれ型コリメータレンズ２３の焦点距離ｆ１はシングルモード光ファイバ２１の開口数（ＮＡｓと記す）に応じて設定され、軸ずれ型コリメータレンズ２４−１〜２４−４の焦点距離ｆ２はマルチモード光ファイバ２２−１〜２２−４の開口数（ＮＡｍと記す）に応じて設定される。
【００８０】
開口数は、光ファイバに角度θで入射した光が光ファイバ中を全反射して伝搬するための条件である。従って、光の放射又は受光に用いられるレンズの焦点距離をこの開口数に合わせて設定することによって結合損失を最小にし、かつ伝送帯域が狭まるのを防止することができる。
【００８１】
本具体例では、光放射部としてシングルモード光ファイバ２１が用いられ、光受光部としてマルチモード光ファイバ２２−１〜２２−４が用いられている。シングルモード光ファイバ２１の開口数ＮＡｓは、マルチモード光ファイバ２２−１〜２２−４の開口数ＮＡｍよりも小さい。
【００８２】
従って、シングルモード光ファイバ２１に対応する軸ずれ型コリメータレンズ２３の焦点距離ｆ１はマルチモード光ファイバ２２−１〜２２−４に対応する軸ずれ型コリメータレンズ２４−１〜２４−４の焦点距離ｆ２よりも大きくなる。そこで、焦点距離調整媒体２５が、この焦点距離ｆ１と焦点距離ｆ２との差を調整して結合損失が増加するのを防止している。
【００８３】
上記説明では、シングルモード光ファイバ２１に合波光（λ１、λ２、λ３、λ４）を入力して、マルチモード光ファイバ２２−１から波長λ１の光波を、マルチモード光ファイバ２２−２から波長λ２の光波を、マルチモード光ファイバ２２−３から波長λ３の光波を、マルチモード光ファイバ２２−４から波長λ４の光波を、それぞれ分波して出力する分波器の機能のみについて説明した。
【００８４】
しかし、本発明は、この場合のみに限定されるものではない。マルチモード光ファイバ２２−１から波長λ１の光波を、マルチモード光ファイバ２２−２から波長λ２の光波を、マルチモード光ファイバ２２−３から波長λ３の光波を、マルチモード光ファイバ２２−４から波長λ４の光波を、それぞれ放射することによって、シングルモード光ファイバ２１から４波合波された波長λ１、λ２、λ３、λ４からなる合波光を得るための合波器として動作させることもできる。
【００８５】
即ち、波長λ１、λ２、λ３、λ４の単一波長の光波は、それぞれ軸ずれ型コリメータレンズ２４−１〜２４−４によって平行波に変換される。波長λ１の光波はＷＤＭフィルタ（λ１）４−１で、波長λ２の光波はＷＤＭフィルタ（λ２）４−２で、波長λ３の光波はＷＤＭフィルタ（λ３）４−３で、波長λ４の光波はＷＤＭフィルタ（λ４）４−４で、それぞれ反射され、合波されて波長λ１、λ２、λ３、λ４の合波光からなる平行波になる。
【００８６】
この平行波は、合波された状態で軸ずれ型コリメータレンズ２３へ向かう。軸ずれ型コリメータレンズ２３で集光されて波長λ１、λ２、λ３、λ４の合波光となってシングルモード光ファイバ２１に送られる。かかる動作は、光波の進行方向が逆転しているのみで上記分波器の場合と全く同様である。
【００８７】
更に、上記説明では、図２の図上最下段の部分にＷＤＭフィルタ（λ４）４−４を配置してあるが、本発明は、この例に限定されるものではない。即ち、ＷＤＭフィルタ（λ４）４−４に代えて前述のミラー（反射鏡）を配置しても良い。
【００８８】
尚、上記説明では、光放射部及び光受光部とも光ファイバを用いる場合に限定して説明したが本具体例は、この例に限定されるものではない。即ち、光放射部が発光素子であってもよく、あるいは光受光部が受光素子であっても良い。この場合には発光素子又は受光素子のスポット半径から対応する軸ずれ型コリメータレンズの焦点距離を求めることになる。その一例の概要について以下に記す。
【００８９】
光受光部としてシングルモード光ファイバを用い、光放射部として半導体レーザを用いた場合について説明する。シングルモード光ファイバ端面におけるスポット半径は、６μｍ程度である。一方半導体レーザ端面におけるスポット半径の典型的な値は、１〜３μｍ程度であり、このスポット径のミスマッチのため具体例１のような像倍率が１のままでは結合率が低下してしまう。そこで、像倍率をＭ（ここでは２）とおいたときにＭ＝ｆ１／ｆ２から、それぞれに対応する軸ずれ型コリメータレンズの焦点距離を設定することになる。
【００９０】
【発明の効果】
以上説明したように軸ずれ型コリメータレンズを屈折率１．９０以上の素材を用いて作製することによって、接着剤で軸ずれ型コリメータレンズの全面を覆ってもレンズ効果を失うことがなくなり、また、接着剤の塗布にはスピンコート法を採用することができ、接着層の平行度や層厚制御が容易になり量産性が向上するとともに接着強度も大きくなるという効果を有する。
更に、光放射部及び光受光部として、ＮＡ（開口数）の大きく異なる複数種類の光ファイバ（例えばシングルモード光ファイバとマルチモード光ファイバ）を用いる場合、あるいは又、光ファイバと半導体レーザ等のようにスポット径の異なるものを用いる場合等に変換用軸ずれ型コリメータレンズ及び案内用軸ずれ型コリメータレンズの焦点距離を異ならせる必要があるが、両者の焦点距離の差を焦点距離調整媒体によって調整することによって結合損失を最小にし、かつ伝送帯域が狭まるのを防止することができるという効果を有する。
【図面の簡単な説明】
【図１】具体例１の構成図である。
【図２】具体例２の構成図である。
【図３】従来の波長分割多重通信用光分波合波器の構成図である。
【符号の説明】
１−１　光ファイバ（光放射部）
１−２〜１−５　光ファイバ（光受光部）
２−１　軸ずれ型コリメータレンズ（変換レンズ）
２−２〜２−５　軸ずれ型コリメータレンズ（案内レンズ）
３　充填接着層
４−１　ＷＤＭフィルタ（λ１）
４−２　ＷＤＭフィルタ（λ２）
４−３　ＷＤＭフィルタ（λ３）
４−４　ＷＤＭフィルタ（λ４）
６−１〜６−５　光伝搬媒体
７−１　球面波（合波光）
７−２〜７−５　球面波（単波光）
【図１】
2004085861.tif 000003
【図２】
2004085861.tif 000004
【図３】
2004085861.tif 000005